(57)【要約】【課題】  本発明は、撮像レンズ鏡筒先端部に容易に取り付け可能であり、簡単に接写撮影に好適な照明用アダプタを提供することを目的としたものである。【解決手段】  本発明の照明用アダプタは、入射部と反射部と射出部を備えるプリズム部を有することで、小型化が可能であると共に、簡単な構成で安価に製造でき、撮像レンズの光軸方向に対して射出光が略平行になる位置決め手段と、光源と入射部の位置決め手段を有することで、撮像レンズ鏡筒先端部に容易に着脱可能な照明用アダプタを提供できる。【選択図】  図１
2005338384.tif 000002
【特許請求の範囲】
【請求項１】
撮像装置のレンズ鏡筒先端部に取り付け可能な照明用アダプタにおいて、光源からの入射部と射出部を備えたプリズム部と撮像装置のレンズ鏡筒先端部に着脱可能な取り付け部材を有することを特徴とする照明用アダプタ。
【請求項２】
前記プリズム部は、略リング状の平面形状を呈し、前記反射部は略螺旋形状を呈し、その表面は略鋸歯形状であることを特徴とする請求項１記載の照明用アダプタ。
【請求項３】
前記取り付け部材は、撮像レンズの光軸方向に対して射出光が略平行になるような第１の位置決め部材と、光源と入射部の位置決めをする第２の位置決め部材を有することを特徴とする請求項１又は２記載の照明用アダプタ。
【請求項４】
前記第１の位置決め部材は、ロック部材を備えていることを特徴とする請求項３記載の照明用アダプタ。
【請求項５】
前記第１の位置決め部材は、前記プリズム部の略螺旋形状の反射部と外装カバー部材との間の空間に収納されていることを特徴とする請求項３又は４記載の照明用アダプタ。
【請求項６】
前記第２の位置決め部材は、撮像装置の光源近傍の外装部に沿った形状であり、且つ弾性部材から成ることを特徴とする請求項３乃至５記載の照明用アダプタ。
【発明の詳細な説明】
【技術分野】
【０００１】
本発明は接写撮影等に用いられる照明用アダプタ、更に詳しくはビデオカメラのような撮像装置等に用いて好適なリングライト状の照明用アダプタに関する。
【背景技術】
【０００２】
従来のこの種の照明用アダプタとしては、リングライトと呼ばれるカメラ用照明装置がある。そのカメラ用照明装置を図１６乃至図１９に基づいて説明する。図１６と図１７は、カメラ用照明装置の実施形態を示す斜視図である。本体２１は、アクリル板２４と背面２３に挟まれる位置に照明部２５を有する。照明部２５は基板２５ｂ（図１８参照）を有し、該基板２５ｂには軸４１を中心とする円状に配置された複数の発光ダイオード２５ａを有する。照明部２５の側面（図１６の下側）で、表面２２および背面２３に挟まれる位置に電池室３２（図１８参照）が設けられている。本体２１の側面（図１６の右側）にはスイッチ２７が設けられ、このスイッチ２７をオンオフ操作することにより発光ダイオード２５ａを点灯または消灯することができる。電池蓋３１（図１７参照）を開閉操作することにより、電池３３（図１８）の交換が可能となっている。また、本体２１の側面（図１７の右側）に外部電源入力端子３０が設けられている。
【０００３】
図１８に示すように、本体２１は背面２３に軸４１を中心とする円形溝２１ａを有する。円形溝２１ａは、リング部材２８の突起部２８ｂと嵌合する。本体２１に貼着された押さえ板２９と本体２１との間に突起部２８ｂを保持し、これによりリング部材２８は軸４１を中心に回動自在に支持される。リング部材２８は取付ネジ２８ａを有し、この取付ネジ部２８ａによってカメラ５０（図１９参照）のレンズ鏡筒（図示せず）の前面（被写体側）に装着される。この装着により、撮像レンズの撮影光軸と前記軸４１とはほぼ一致する状態となる。なお、リング部材２８の回動状態（従って本体２１のカメラ５０に対する回転状態）は、本体２１の上面に有る摘み部２６を操作することによってロック設定またはロック解除が可能になっている。
【０００４】
図１９は、取付ネジ部２８ａによってレンズ鏡筒（図示せず）の前面（被写体側）に本体２１を装着した状態を示している。取付後に、リング部材２８が回動自在であることを利用して、ファインダー窓５１やストロボ窓５２を遮ることがないように本体２１を回動して、図１９に示す位置関係になった後に摘み部２６を操作することによってロック設定を行う。
【特許文献１】特開２００３−２５５４４３号公報
【発明の開示】
【発明が解決しようとする課題】
【０００５】
しかしながら、上記従来例においては、照明の光源として複数の発光ダイオード２５ａを使用するため、それを保持するために面積の大きな基板２５ｂが必要となり、且つ円状に配置するため、照明装置本体２１が大型化してしまう。さらに、照明装置の内部に電池３３あるいは外部電源入力端子３０が必要となり、図１９に示すように、カメラ５０のレンズ鏡筒の前面に装着すると、カメラ５０に対して必要以上に大型になってしまっている。大型であるゆえ、携帯性が悪く、カメラ５０に取り付け時は重く感じられるという問題があった。また、照明の光源として複数の発光ダイオード２５ａを使用することでコストがかかってしまうという問題があった。さらに、発光ダイオード２５ａが１つでも壊れてしまうと、きれいな円状の光源が得られず、照明装置としての機能が失われ、破損した発光ダイオードを交換しなければならないといった不具合があった。また、取り付けネジ部２８ａをカメラ５０のレンズ鏡筒の前面に装着するためには、本体２１を回動して一旦両者を一体化し、さらに本体２１の上面に有る摘み部２６を操作することによってロック設定またはロック解除を行うが、この一連の取り付け動作がユーザーにとっては煩わしいといった問題があった。
【０００６】
本発明は、上述した問題点を解消し、小型化が可能であると共に、簡単な構成で安価に製造でき、撮像装置本体に容易に取り付けることが可能な照明用アダプタを提供することを目的とするものである。
【課題を解決するための手段】
【０００７】
上記課題を解決するための第１の解決手段として、本発明の照明用アダプタは、光源からの入射部と射出部を備えたプリズム部と撮像装置のレンズ鏡筒先端部に着脱可能な取り付け部材を有する構成とした。
【０００８】
また、上記課題を解決するための第２の解決手段として、前記プリズム部は、略リング状の平面形状を呈し、前記反射部は略螺旋形状を呈し、その表面は略鋸歯形状である構成とした。
【０００９】
また、上記課題を解決するための第３の解決手段として、前記取り付け部材は、撮像レンズの光軸方向に対して射出光が略平行になるような第１の位置決め部材と、光源と入射部の位置決めをする第２の位置決め部材を有する構成とした。
【００１０】
また、上記課題を解決するための第４の解決手段として、前記第１の位置決め部材は、ロック部材を備えている構成とした。
【００１１】
また、上記課題を解決するための第５の解決手段として、前記第１の位置決め部材は、前記プリズム部の略螺旋形状の反射部と外装カバー部材との間の空間に収納されている構成とした。
【００１２】
また、上記課題を解決するための第６の解決手段として、前記第２の位置決め部材は、撮像装置の光源近傍の外装部に沿った形状であり、且つ弾性部材から成る構成とした。
【発明の効果】
【００１３】
本発明の照明用アダプタによれば、入射部と反射部と射出部を備えるプリズム部を有することで、小型化が可能であると共に、簡単な構成で安価に製造でき、撮像レンズ鏡筒先端部に容易に取り付け可能な照明用アダプタを提供できる。
【発明を実施するための最良の形態】
【００１４】
以下に本発明の照明用アダプタの実施形態を図面に基づいて説明する。図１と図２は、本発明による照明用アダプタの実施形態を示す別方向から見た斜視図である。図１において、照明用アダプタ本体１の外装表カバー２と外装裏カバー３に挟まれる空間にプリズム部５を配置し、略リング状の平面形状の射出部５ａを有する。プリズム部５の内側には図３に示すように複数の遮光線４ａを有する外装中カバー４が設けられている。また、照明用アダプタ本体１の前面から見て略右上部の外装表カバー２と外装裏カバー３に挟まれる位置に時計方向に移動可能なロック部材７が設けられている。図２において、撮像レンズの光軸方向に対して射出光が略平行になる位置決め部材として取付ネジ部４ｂ，６ａが設置され、光源と入射部の位置決め部材として位置決め部材８が設置されてる。取付ネジ部４ｂは図３に示すように外装中カバー４に一体的に形成され、取付ネジ部６ａは図８に示すレバー部材６に一体的に形成されている。図４は図１におけるａ−ａ断面を示しており、回転方向の位置決め部材８は、撮像装置の光源１３近傍の外装部１４に沿った形状を有し、弾性部材から成る。以上のように、位置決め部材８が撮像装置の外装部１４に沿った形状を有することで、光源と入射部の位置規制の役割をし、さらに撮像装置１０の光源１３からの導光の役割をする。また、弾性部材から成るため、撮像装置１０の外装の表面を傷つけてしまうことはない。
【００１５】
図５と図６は、プリズム部５の形状を示しており、略リング状の平面形状の射出部５ａと略螺旋形状でその厚さが徐々に変化する略鋸歯形状を呈する反射部５ｂと入射部５ｃおよび導光部５ｄを一体的に有する単一の部材である。図７はプリズム部５の展開図および光の経路の一部（破線矢印）を示している。プリズム部５の反射部５ｂは、光を略均一に射出させるために、その厚さを徐々に変化させるようにした略螺旋形状を呈し、その表面は略鋸歯形状となっている。撮像装置本体１０の光源１３からの光は、入射部５ｃから入り、導光部５ｄを通り、反射部５ｂで反射し、射出部５ａから略均一に射出するといった経路である。
【００１６】
図８と図９は、照明用アダプタの内部構造を示している。レバー部材６はトーションバネ９により常に矢印Ｂの方向に回動付勢され、軸６ｂを中心として矢印Ａの方向に回転可能である。軸６ｂは外装表カバー２と外装裏カバー３で挟みこまれている。図１０（ａ），（ｂ）は照明用アダプタがロック状態になっていく過程を示している。ロック部材７は矢印Ｃの方向に動き、くさび形状部７ａがレバー部材６の溝部６ｃに入るとロック設定になり、出るとロック解除になる。図７に示すように、プリズム部５の反射部５ｂが厚さの異なる略螺旋形状であるため、領域Ｓが存在し、図１１に示すように、レバー部材６とロック部材７は、領域Ｓと外装裏カバー３とに生じる空間に収納される。これにより、接写照明用アダプタの小型化が可能となる。図１２は、撮影時の被写体照明用に光源１３が設けてある撮像装置１０の斜視図である。図１３は、取付ネジ部４ｂ，６ａにより撮像レンズ鏡筒先端部１１のネジ部１２に取り付けられた状態を示している。取付方法は、ロック部材７をロック解除にした状態で撮像レンズ鏡筒先端部１１のネジ部１２（図１４参照）に押込む。このとき、回転方向の位置決め部材８を撮像装置の光源１３近傍の外装部１４に合わせながら押し込む。押し込むことでレバー部材６が矢印Ａの方向に可動するため、取付ネジ部４ｂ，６ａが撮像レンズ鏡筒先端部１１のネジ部１２に入っていき合致する。この状態では、照明用アダプタ本体１はトーションバネ９の付勢力のみで撮像レンズ鏡筒先端部１１に保持されている状態なので、容易にはずれてしまう。そのため、取り付けた接写照明用アダプタ本体１をロック部材７でロック設定（ロック部材７を図１０の矢印Ｃ方向に移動）することで、撮像レンズ鏡筒先端部１１のネジ部１２に固定される。図１５は図１３におけるｂ−ｂ断面を示し、前記の固定状態が理解できる。固定された状態の照明用アダプタを取り外すときは、逆の操作をすればよい。すなわち、ロック部材７をロック解除し、引っ張ることで容易に取り外せる。
【図面の簡単な説明】
【００１７】
【図１】本発明の照明用アダプタの斜視図である。
【図２】本発明の照明用アダプタの図１とは別方向から見た斜視図である。
【図３】本発明の照明用アダプタの外装中カバーの斜視図である。
【図４】図１のａ−ａ断面図である。
【図５】本発明の照明用アダプタのプリズム部斜視図である。
【図６】本発明の照明用アダプタの図５とは別方向から見たプリズム部斜視図である。
【図７】本発明の照明用アダプタのプリズム部の展開図及び光の経路図である。
【図８】本発明の照明用アダプタの内部構造図である。
【図９】本発明の照明用アダプタの内部構造斜視図である。
【図１０】本発明の照明用アダプタのロック設定していく過程の図である。
【図１１】本発明の照明用アダプタの内部構造斜視図である。
【図１２】本発明の照明用アダプタが適用される撮像装置の斜視図である。
【図１３】本発明の照明用アダプタの実施形態を示す斜視図である。
【図１４】本発明の照明用アダプタが適用される撮像装置のレンズ鏡筒先端部の斜視図である。
【図１５】図１３のｂ−ｂ断面図である。
【図１６】従来のカメラ用照明装置の斜視図である。
【図１７】従来のカメラ用照明装置の斜視図である。
【図１８】従来のカメラ用照明装置の断面図である。
【図１９】従来のカメラ用照明装置の実施形態を示す斜視図である。
【符号の説明】
【００１８】
１  照明用アダプタ本体
５  プリズム部
５ａ  射出部
５ｂ  反射部
５ｃ  入射部
５ｄ  導光部
１０  撮像装置
１１  レンズ鏡筒先端部
１３  光源
【図１】
2005338384.tif 000003
【図２】
2005338384.tif 000004
【図３】
2005338384.tif 000005
【図４】
2005338384.tif 000006
【図５】
2005338384.tif 000007
【図６】
2005338384.tif 000008
【図７】
2005338384.tif 000009
【図８】
2005338384.tif 000010
【図９】
2005338384.tif 000011
【図１０】
2005338384.tif 000012
【図１１】
2005338384.tif 000013
【図１２】
2005338384.tif 000014
【図１３】
2005338384.tif 000015
【図１４】
2005338384.tif 000016
【図１５】
2005338384.tif 000017
【図１６】
2005338384.tif 000018
【図１７】
2005338384.tif 000019
【図１８】
2005338384.tif 000020
【図１９】
2005338384.tif 000021